【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
近端と遠端とを有し、Ｖバスワイヤを含む、ＵＳＢ（Ｕｎｉｖｅｒｓａｌ  Ｓｅｒｉａｌ  Ｂｕｓ）ケーブルと、
前記ＵＳＢケーブルの前記近端に結合されるように構成されるレセプタクルを有する第１のデバイスであって、前記レセプタクルがＩＤピンとＶｂｕｓピンとを有する、前記第１のデバイスと、
前記ＵＳＢケーブルの前記遠端に結合されるように構成され、前記Ｖｂｕｓワイヤ上に信号を生成するように構成される第２のデバイスと、
を含むシステムであって、
前記第１のデバイスが、前記第２のデバイスから受信した前記信号に応じて前記ＩＤピンと前記Ｖｂｕｓピンとの間に結合されるキャパシタの存在を検出し、前記第２のデバイスから前記レセプタクルを介して前記信号を受信して処理することにより前記ＵＳＢケーブルの電力定格を判定するように構成される、システム。
【請求項２】
近端と遠端とを有し、Ｖバスワイヤを含む、ＵＳＢ（Ｕｎｉｖｅｒｓａｌ  Ｓｅｒｉａｌ  Ｂｕｓ）ケーブルと、
前記ＵＳＢケーブルの前記近端に結合されるように構成されるレセプタクルを有する第１のデバイスであって、前記レセプタクルがＩＤピンとグラウンドピンとを有する、前記第１のデバイスと、
前記ＵＳＢケーブルの前記遠端に結合されるように構成され、前記Ｖｂｕｓワイヤ上に信号を生成するように構成される第２のデバイスと、
を含むシステムであって、
前記第１のデバイスが、前記第２のデバイスから受信した前記信号に応じて前記ＩＤピンと前記グラウンドピンとの間に結合されるキャパシタの存在を検出し、前記第２のデバイスから前記レセプタクルを介して前記信号を受信して処理することにより前記ＵＳＢケーブルの電力定格を判定するように構成される、システム。
【請求項３】
請求項１又は２に記載のシステムであって、
前記第１のデバイスが、電力を前記ＵＳＢケーブルに搬送するように構成される一方で同時に前記第２のデバイスからの信号の存在を検出する、システム。
【請求項４】
請求項１又は２に記載のシステムであって、
前記第１のデバイスが、前記信号の内容ではなく前記信号の存在に応じて前記第１のデバイスにより前記ＵＳＢケーブルに搬送される前記電力を調節可能に確立するように構成される、システム。
【請求項５】
請求項１又は２に記載のシステムであって、
前記第１のデバイスが、前記ＵＳＢケーブルの前記判定された電力定格に応じて前記第１のデバイスにより前記ＵＳＢケーブルに搬送される電力の量を確立するように構成される、システム。
【請求項６】
請求項１又は２に記載のシステムであって、
前記信号が、ＧｏｏｄＣＲＣ制御メッセージ、Ｐｉｎｇ制御メッセージ、ＨａｒｄＲｅｓｅｔパケット、Ｇｅｔ＿ｓｉｎｋ＿ｃａｐ制御メッセージ、Ｇｅｔ＿ｓｏｕｒｃｅ＿ｃａｐ制御メッセージ、ＢｉｔＳｔｒｅａｍメッセージ、及びＣａｐａｂｉｌｉｔｉｅｓメッセージのうちの１つを含む、システム。
【請求項７】
請求項１又は２に記載のシステムであって、
前記第２のデバイスが、前記ＵＳＢケーブルの前記判定された電力定格に応じて前記第１のデバイスにより前記ＵＳＢケーブルに搬送される電力の量を制限するように構成される、システム。
【請求項８】
ＵＳＢ（Ｕｎｉｖｅｒｓａｌ  Ｓｅｒｉａｌ  Ｂｕｓ）ケーブルの近端に結合される第１のデバイスと前記ＵＳＢケーブルの遠端に結合される第２のデバイスとの間に延びる前記ＵＳＢケーブルの電力定格を判定する方法であって、前記方法が、
前記第１のデバイスにおいてＩＤ導体とＶｂｕｓ導体上で前記第２のデバイスから信号を受信する工程と、
前記第２のデバイスから受信した信号に応じて前記ＩＤ導体と前記Ｖｂｕｓ導体との間に結合されるキャパシタの存在を検出する工程と、
前記受信した信号を用いて前記ＵＳＢケーブルの前記電力定格を判定する工程と、
を含む、方法。
【請求項９】
請求項８に記載の方法であって、
前記第１のデバイスが、ＩＤピンとＶｂｕｓピンとを有するレセプタクルを含む、方法。
【請求項１０】
請求項８に記載の方法であって、
前記第１のデバイスが、電力を前記ＵＳＢケーブルに搬送する一方で同時に前記第２のデバイスからの前記信号の存在を検出する、方法。
【請求項１１】
請求項８に記載の方法であって、
前記第１のデバイスが、前記信号の内容ではなく前記信号の存在に応じて前記第１のデバイスにより前記ＵＳＢケーブルに搬送される前記電力を調節可能に確立する、方法。
【請求項１２】
請求項８に記載の方法であって、
前記信号が、ＧｏｏｄＣＲＣ制御メッセージ、ＨａｒｄＲｅｓｅｔパケット、Ｇｅｔ＿ｓｉｎｋ＿ｃａｐ制御メッセージ、Ｇｅｔ＿ｓｏｕｒｃｅ＿ｃａｐ制御メッセージ、ＢｉｔＳｔｒｅａｍメッセージ、Ｐｉｎｇメッセージ、及びＣａｐａｂｉｌｉｔｉｅｓメッセージのうちの１つを含む、方法。
【請求項１３】
請求項８に記載の方法であって、
前記第１のデバイスが、前記判定された電力定格に応じて前記第１のデバイスが前記ＵＳＢケーブルに搬送する前記電力を調節する、方法。
【請求項１４】
請求項８に記載の方法であって、
前記第２のデバイスが、前記判定された電力定格に応じて前記第１のデバイスにより前記ＵＳＢケーブルに搬送される前記電力を制限する、方法。
【請求項１５】
ＵＳＢ（Ｕｎｉｖｅｒｓａｌ  Ｓｅｒｉａｌ  Ｂｕｓ）ケーブルの遠端に結合される第２のデバイスから前記ＵＳＢケーブルの近端に結合される第１のデバイスに送られる周波数偏移変調（ＦＳＫ）信号を受信するように構成されるコントローラを含む装置であって、
前記コントローラが、前記受信した信号に基づいて、前記ＦＳＫ信号の一部を前記ＵＳＢケーブル内の他のワイヤに結合する前記ＵＳＢケーブル内のキャパシタを検出し、前記受信したＦＳＫ信号を処理することにより前記ＵＳＢケーブルの電力定格を判定するように構成され、前記処理されたＦＳＫ信号が、前記ＵＳＢケーブルの通電容量を判定するために用いられる、装置。
【請求項１６】
請求項１５に記載の装置であって、
前記コントローラが、前記判定された電力定格に応じて前記第１のデバイスにより前記ＵＳＢケーブルに搬送される電力の量を調節するように構成される、装置。
【請求項１７】
請求項１５に記載の装置であって、
前記コントローラが、前記判定された電力定格に応じて前記第２のデバイスにより前記ＵＳＢケーブルに搬送される電力の量を制限するように構成される、装置。
【請求項１８】
請求項１５に記載の装置であって、
前記第１のデバイスが、ＩＤピンとＶｂｕｓピンとを有するレセプタクルを含み、
前記コントローラが、前記第２のデバイスから受信した前記信号に応じて前記ＩＤピンと前記Ｖｂｕｓピンとの間に結合されるキャパシタの存在を検出することにより前記ＵＳＢケーブルの前記電力定格を判定するように構成される、装置。
【請求項１９】
請求項１５に記載の装置であって、
前記コントローラが、前記信号の内容ではなく前記信号の存在に応じて前記第１のデバイスにより前記ＵＳＢケーブルに搬送される前記電力を調節可能に確立するように構成される、装置。
【請求項２０】
請求項１５に記載の装置であって、
前記信号が、ＧｏｏｄＣＲＣ制御メッセージ、ＨａｒｄＲｅｓｅｔパケット、Ｇｅｔ＿ｓｉｎｋ＿ｃａｐ制御メッセージ、Ｇｅｔ＿ｓｏｕｒｃｅ＿ｃａｐ制御メッセージ、ＢｉｔＳｔｒｅａｍメッセージ、Ｐｉｎｇ制御メッセージ、及びＣａｐａｂｉｌｉｔｉｅｓメッセージのうちの１つを含む、装置。